(57)【要約】【課題】  市販の一般的な土中挿込一体型の簡易なソーラーランプに適用できる所要背丈を備えた分解組立自在なソーラーランプ用支柱の提供。【解決手段】    本発明のソーラーランプ用支柱は、上端部に着脱自在なソーラーランプ取付部を備えた円筒支柱と、前記円筒支柱の下端部が着脱自在な土中埋設用基部とを備えたことを特徴とする。又、ソーラーランプ取付部は、円筒外周の三方に均等に配設されたビス穴と、円筒支柱の上端部から円筒内に挿し込まれたソーラーランプの基部に向かって前記各ビス穴からねじ込まれるビスとを備えたことを特徴とする。又、土中埋設用基部は円筒支柱の下端部と蜜嵌合する受筒を備えたことを特徴とする。又、土中埋設用基部は、受筒の内周の一側に当該受筒を貫通する方向に固定された土中挿込棒と、前記土中挿込棒から矢羽状に張り出すように設けられた傾倒防止板とを備えていることを特徴とする。【選択図】        図４
2011065867.tif 000002
【特許請求の範囲】
【請求項１】
上端部に着脱自在なソーラーランプ取付部を備えた円筒支柱と、前記円筒支柱の下端部が着脱自在に挿し込まれる土中埋設用基部を備えたことを特徴とするソーラーランプ用支柱。
【請求項２】
ソーラーランプ取付部は、円筒外周の三方に均等に配設されたビス穴と、円筒支柱の上端部から円筒内に挿し込まれたソーラーランプの基部に向かって前記各ビス穴からねじ込まれるビスとを備えたこと
を特徴とする請求項１に記載のソーラーランプ用支柱。
【請求項３】
ソーラーランプ取付部は、円筒支柱の上端部の円筒内周にソーラーランプの基部を貫通させて当該基部の外周に当接する基部受用リングを備えたことを
特徴とする請求項２に記載のソーラーランプ用支柱。
【請求項４】
土中埋設用基部は、円筒支柱の下端部と蜜嵌合する受筒を備えたこと
を特徴とする請求項１乃至請求項３の何れかに記載のソーラーランプ用支柱。
【請求項５】
土中埋設用基部は、受筒の内周の一側に当該受筒を貫通する方向に固定された土中挿込棒と、前記土中挿込棒から矢羽状に張り出すように設けられた傾倒防止板とを備えていること
を特徴とする請求項４に記載のソーラーランプ用支柱。
【請求項６】
円筒支柱に着脱自在な植木鉢受部を備えたこと
を特徴とする請求項１乃至請求項５の何れかに記載のソーラーランプ用支柱。
【請求項７】
植木鉢受部は、円筒支柱の円筒外周を帯状に取り巻いてナットで緊締されるバンドと、前記バンドと一体的に設けられた鉢受リングとを備えていること
を特徴とする請求項５に記載のソーラーランプ用支柱。
【発明の詳細な説明】
【技術分野】
【０００１】
本発明は、庭の土中に基部を挿し込んで用いる簡易なソーラーランプの支柱に関する。
【背景技術】
【０００２】
近年、多種多様なこの種のソーラーランプ(以下、簡易型ソーラーランプともいう)が市販されているが、何れも、背丈が３０ｃｍ程度と低いものが多い。これは、背丈が長大であると、製造から販売までの搬送や取り扱いに不便であると共に、安価でなければ需要が少ないことが要因と思われる。
【発明の開示】
【発明が解決しようとする課題】
【０００３】
しかしながら、背丈が低いと、庭の草木に日光が遮られてしまい、太陽エネルギーを十分に蓄積できず、夜間照明として明るさに欠けたり、照明時間が短かくなってしまう、という課題があった。
【０００４】
本発明は、上記課題の解決を目的としてなされたもので、十分な背丈を備え上記のような市販の一般的な土中挿込一体型の簡易なソーラーランプに適用できる分解組立自在で長尺なソーラーランプ用支柱の提供を目的とするものである。
【課題を解決するための手段】
【０００５】
先ず、請求項１のソーラーランプ用支柱の発明は、上端部に着脱自在なソーラーランプ取付部を備えた円筒支柱と、前記円筒支柱の下端部が着脱自在に挿し込まれる土中埋設用基部を備えたことを特徴とする。
【０００６】
請求項２の発明は、請求項１に記載のソーラーランプ用支柱において、ソーラーランプ取付部は、円筒外周の三方に均等に配設されたビス穴と、円筒支柱の上端部から円筒内に挿し込まれたソーラーランプの基部に向かって前記各ビス穴からねじ込まれるビスとを備えたことを特徴とする。
【０００７】
請求項３の発明は、請求項２に記載のソーラーランプ用支柱において、ソーラーランプ取付部は円筒支柱の上端部の円筒内周にソーラーランプの基部を貫通させて当該基部の外周に当接する基部受用リングを備えたことを特徴とする。
【０００８】
請求項４の発明は、請求項１乃至請求項３の何れかに記載のソーラーランプ用支柱において、土中埋設用基部は円筒支柱の下端部と蜜嵌合する受筒を備えたことを特徴とする。
【０００９】
請求項５の発明は、請求項４に記載のソーラーランプ用支柱において、土中埋設用基部は、受筒の内周の一側に当該受筒を貫通する方向に固定された土中挿込棒と、前記土中挿込棒から矢羽状に張り出すように設けられた傾倒防止板とを備えていることを特徴とする。
【００１０】
請求項６の発明は、請求項１乃至請求項５の何れかに記載のソーラーランプ用支柱において、円筒支柱に着脱自在な植木鉢受部を備えたことを特徴とする。
【００１１】
請求項７の発明は、請求項５に記載のソーラーランプ用支柱において、植木鉢受部は、円筒支柱の円筒外周を帯状に取り巻いてナットで緊締されるバンドと、前記バンドと一体的に設けられた鉢受リングとを備えていることを特徴とする。
【発明の効果】
【００１２】
請求項１乃至請求項７の各発明によれば、何れも、ソーラーランプ用支柱が、円筒支柱と土中埋設用基部とに２分割されている上、ランプ(簡易型ソーラーランプ)とも別体として分解組立自在に構成されているので、製造から販売までの搬送や取り扱いが容易且つ便利となる上、円筒支柱の長さを十分に長い背丈とすることができ、しかも、上記のような市販の一般的な土中挿込一体型の簡易なソーラーランプ(簡易型ソーラーランプ)にも即適用できるソーラーランプ用支柱を提供することができる。
【００１３】
又、背丈の低い市販の一般的な土中挿込一体型の簡易なソーラーランプに本発明のソーラーランプ用支柱を適用することによって、従来に較べ、庭の草木の影響を受け難い高所にソーラーランプを掲げて日光を十分に受けることができ、太陽エネルギーを十分蓄積させることができるので、十分な明るさと長時間の照明を実現させることができる。
【００１４】
請求項２の発明によれば、円筒支柱の上端部に挿し込まれたソーラーランプ(簡易型ソーラーランプ)の基部を円筒外周の三方から円筒中心に向かってビス止めされるので、土中挿込型の基部を備えたソーラーランプであるならば、その基部の形状に拘らず、比較的多くの種類のソーラーランプに対して適用でき、確実且つ安定に簡易型ソーラーランプを保持させることができる。
しかも、三方配置のうちの１つのビスを緩めたり、締め付けたりするだけでソーラーランプの着脱が容易にできる。
【００１５】
請求項３の発明によれば、単に三方からビスのみでなく、ソーラーランプの基部を基部受用リングにきつく嵌め込んだ上で、更に三方からビス止めすることができるので、ソーラーランプの支柱への取付にガタツキが生じ難く、安定的に固定することができる。
【００１６】
請求項４の発明によれば、円筒支柱の下端部が土中埋設用基部の受筒と蜜嵌合する構造としているので、支柱が安定的に接続支持されると共に、埋設されている土中埋設用基部を掘り起こしたり、引き抜いたりすることなく、極めて簡便に円筒支柱の着脱や交換を行うことができる。
【００１７】
請求項５の発明によれば、矢羽状の傾倒防止板によって円筒支柱の傾倒が防止効果が高められるので、更に十分な長さで背丈が高くなる円筒支柱を用いることができる。
【００１８】
請求項６や請求項７の発明によれば、ソーラーランプ用支柱を文字通りソーラーランプの支柱としてのみでなく、適宜、植木鉢の支柱としても兼用できる。
【発明を実施するための最良の形態】
【００１９】
以下、本発明を実施するための最良の形態として、植木鉢受部を備えたソーラーランプ用支柱の実施例を図面に基づいて説明する。
【実施例】
【００２０】
図１は本実施例の使用状態を示す説明図、図２はそのソーラーランプ取付部の拡大断面図、図３はその土中埋設用基部の拡大断面図、図４はそのソーラーランプ用支柱の分解斜視図、図５はその植木鉢受部の取付状態を示す断面拡大図、図６はその植木鉢受部の斜視図である。
【００２１】
図１において、図中の符号１は円筒支柱である。図示の円筒支柱１は単純なパイプを用いており、その長さ(背丈)は約１２０ｃｍであるが、長さは適宜寸法を、例えば９０ｃｍ或いは１５０ｃｍ等と、所望の十分な長さを選択すればよい。
尚、円筒支柱１の材質は限定されないが、耐腐食性や美観の観点からステンレス製が好適である。
【００２２】
図２において、図中の符号２はソーラーランプである。このソーラーランプ２は市販の簡易型ソーラーランプであり、ソーラーランプ２のランプ２１と土中に挿し込まれる基部即ち土中挿込部２２が一体化された土中挿込一体型のソーラーランプである。
【００２３】
尚、ここで一体化とは、ランプ２１と基部２２とが一体成形された製品(ソーラーランプ２)に限らず、例えばネジ込や嵌め込み等によりランプ２１と基部２２とが部品として分離可能である製品を含み、要はこのような土中挿込用の基部を備えた製品であればよい。
【００２４】
円筒支柱１の上端部には、ソーラーランプ２の基部２２が着脱自在に装着されるソーラーランプ取付部１１が設けられている。このソーラーランプ取付部１１はソーラーランプ２の土中挿込部としての基部２２を着脱自在に装着できる適宜な手段であればよい。
図示の取付部１１は、円筒支柱１の上端部側の円筒外周の三方に均等間隔(１２０度間隔）で配設された雌ネジを有するビス穴１１１と、当該円筒支柱１の上端部から当該円筒内に挿し込まれたソーラーランプ２の基部２２に向かって前記３つの各ビス穴１１１から各々ねじ込まれるビス１１２とを備えており、更に、円筒支柱１の上端部の円筒内周にはソーラーランプ２の基部２２を貫通させて当該基部２２の外周に内周縁が当接する基部受用リング１１３とを備えている。
【００２５】
円筒支柱１の上端部の開口側から挿し込まれたソーラーランプ２の基部２２を三方からビス止めする３点支持構成とすると、土中に挿し込まれる基部(土中挿込基部)２２を備えたソーラーランプ２であれば、譬え簡易型ソーラーランプで２なくても、その基部２２の形状に拘らず、多種多様の多くのソーラーランプに適応して取り付けることができるし、確実且つ安定に保持させることができる上、三方のうち１つのビスを緩めたり、締め付けるだけでソーラーランプ２の着脱も容易となる。
【００２６】
更に、上記のような単に三方からビス止めのみでなく、ソーラーランプの基部２２を基部受用リング１１３にきつく上から押し込んで嵌めた上で、基部受用リング１１３の下方位置で上記のように三方からビス止めすることによって、ソーラーランプ２(の基部２２)の支柱(円筒支柱)１への取付にガタツキを生じさせること無く、安定して固定させることができる。
【００２７】
図３及び図４において、図中の符号３は土中埋設用基部である。
この土中埋設用基部３は、円筒支柱１とは別体に設けられており、前記円筒支柱１の下端部の開口側と嵌合する受筒３１を備えている。
図示の受筒３１は、その径は円柱支柱１の径より小さく、円柱支柱１の下端部に着脱自在に挿入して蜜嵌合するよう形成している。
尚、この受筒３１は土中埋設用基部３の一部ではあるが、必ずしも土中に埋設される必要はなく、図示のように土中に埋設されず地上面に残る状態に設定されてもよい。
【００２８】
このように、円筒支柱１の下端部が土中埋設用基部３の受筒３１に蜜嵌合する構造とすることによって、円筒支柱１が安定的に且つ容易に接続させることができ、より確実に支持することができる。
又、一端埋設した土中埋設用基部３を掘り起こしたり、引き抜いたりすることなく、極めて簡便に円筒支柱１の着脱や交換を行うこともできる。
【００２９】
この受筒３１には、その筒の内周の一側に、当該受筒３１を貫通する方向に、土中に衝き込まれる金棒状の土中挿込棒３２が固定されている。このような金棒を土中に衝き立てて埋設する土中埋設用基部３とした方が、例えば、従来のように、パイプの下端の両側を内側に平に潰して平坦な打ち込み先端とするよりも、土中埋設用基部３の加工が容易となる上、土中への埋設を挿し込みのみで行う事ができ、埋設作業が容易となる。
【００３０】
更に、図１、図３、図４に示すように、この土中挿込棒３２には、土中挿込棒３２を軸としてその両側から矢羽状の傾倒防止板３３が張り出すように設けられている。
図示の例では、左右一対の矢羽状の傾倒防止版３３が一対(矢羽２枚)設けられているが、当該土中挿込棒３２を軸中心として十字方向に２対(矢羽４枚)設けてもよいし、或いは、矢羽３枚を均等間隔の配置で設けてもよい。
何れの場合も、矢羽状の傾倒防止板３３を設けることによって円筒支柱１の傾倒をより効果的に防止することができ、それだけ背丈の高い円筒支柱１を採用することができる。
【００３１】
尚、図４に示す符号１１４は円筒支柱１の下端部側の円筒側面に穿たれたビス穴、図３に示す符号１１５はこのビス穴１１４にねじ込まれて円筒支柱１を貫通し、ビス先端が受筒３１の外周面に当接するビスであり、土中埋設用基部３の受筒３１とこの受筒３１に嵌合された円筒支柱１（の下端部）との嵌合状態を固定するための固定用ビスである。
この固定用ビス１１５は、円筒支柱１と受筒３１筒同士の蜜嵌合によって両者を接続して組合せ支持するこの実施例の構造では、必ずしも必要ではないが、安全性確保のためにこのような固定用ビス１１５で固定するのが好ましい。
【００３２】
図１、図５、図６において、円筒支柱１には植木鉢受部４が着脱自在に設けられている。この植木鉢受部４は、植木鉢４０を落とし込むことにより鉢の胴部が嵌め込まれて鉢の縁側を受ける鉢受リング４１と、この鉢受リング４１を円筒支柱１の円筒外周の任意の位置に着脱自在に緊締し固定するバンド４２と、円筒支柱１の円筒外周に巻きつけられたバンド４２を締付固定するバンド締め付け用の締付ナット４３とを備えている。
【００３３】
この実施例では前記の鉢受リング４１とバンド４２とは一体的に設けられており、締付ナット４３を緩めてバンド４２から外すことでバンド４２を円筒支柱１から取り外すことができ、締付ナット４２をバンド４２から外さずに緩めるだけで、バンド４２を円筒支柱１の上下方向に容易に移動させることができ、任意の高さ位置に鉢受リング４１を固定させることができる。
【００３４】
このように、実施例では円筒支柱１の任意の高さ位置に植木鉢受部４を取り付けることにより、ソーラーランプ用支柱１を文字通りソーラーランプ２の支柱としてのみではなく、植木鉢４０を庭の中空に飾り置いて昼間での草木の鑑賞や庭園の造詣に用いる植木鉢支柱としても兼用させることができるので、ソーラーランプ用支柱１としての実用的価値も一段と高められる。
【００３５】
尚、本発明のソーラーランプ用支柱１としては、この植木鉢受部４は必ずしも必要ではない。又、上記実施例では植木鉢受部４を1個取り付けているが、複数個を任意の位置に取り付けることもできる。
【産業上の利用可能性】
【００３６】
本発明は、市販の一般的な土中挿込一体型の簡易な家庭用のソーラーランプに適用できるソーラーランプ用支柱として実施例で説明したが、これに限らず、公園等に設けられる本格的なソーラーランプの支柱としても、広く産業上利用することができる。
【図面の簡単な説明】
【００３７】
【図１】本実施例のソーラーランプ用支柱の使用状態を示す説明図である。
【図２】ソーラーランプ取付部の拡大断面図である。
【図３】土中埋設用基部の拡大断面図である。
【図４】ソーラーランプ用支柱の分解斜視図である。
【図５】植木鉢受部の取付状態を示す断面拡大図である。
【図６】植木鉢受部の斜視図である。
【符号の説明】
【００３８】
１      円筒支柱
１１    ソーラーランプ取付部
１１１  ビス穴(ソーラーランプ取付部)
１１２  ビス(ソーラーランプ取付部)
１１３  基部受用リング(ソーラーランプ取付部)
２    ソーラーランプ
２１  ランプ(ソーラーランプ)
２２  基部(ソーラーランプ)
３  土中埋設用基部
３１  受筒(土中埋設用基部)
３２  土中挿込棒(土中埋設用基部)
３３  傾倒防止板(土中埋設用基部)
４    
４０  植木鉢
４１  鉢受リング
４２  バンド
４３  締付ナット
【図１】
2011065867.tif 000003
【図２】
2011065867.tif 000004
【図３】
2011065867.tif 000005
【図４】
2011065867.tif 000006
【図５】
2011065867.tif 000007
【図６】
2011065867.tif 000008